(57)【特許請求の範囲】
【請求項１】
Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）における基地局であって、
制御部を備え、
前記制御部は、
第１メッセージをＷｉｒｅｌｅｓｓ  Ｌｏｃａｌ  Ａｒｅａ  Ｎｅｔｗｏｒｋ（ＷＬＡＮ）における終端装置であるネットワーク装置へ送り、かつ、
前記第１メッセージに対する応答である第２メッセージを前記ネットワーク装置から受け取るよう構成され、
前記第１メッセージは、無線端末が使用可能な前記ＷＬＡＮの無線リソースを増加させるための要求であり、
前記制御部は、前記ネットワーク装置が管理する複数のアクセスポイントについての省電力モードが適用されている場合に使用可能な前記無線リソースの使用状況を示す情報であって、前記複数のアクセスポイントを構成するアクセスポイントが前記省電力モードを適用していることを示す情報を前記ネットワーク装置から受け取るように構成される、基地局。
【請求項２】
前記制御部は、前記第２メッセージが承諾を示すことに応じて、前記無線端末が前記ＷＬＡＮを利用するための指示を前記無線端末へ送るよう構成される請求項１に記載の基地局。
【請求項３】
前記無線リソースは、前記複数のアクセスポイントにより構成される所定のグループの無線リソースである請求項１に記載の基地局。
【請求項４】
Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）における基地局を制御するためのプロセッサであって、
第１メッセージをＷｉｒｅｌｅｓｓ  Ｌｏｃａｌ  Ａｒｅａ  Ｎｅｔｗｏｒｋ（ＷＬＡＮ）における終端装置であるネットワーク装置へ送る処理と
前記第１メッセージに対する応答である第２メッセージを前記ネットワーク装置から受け取る処理と、を実行し、
前記第１メッセージは、無線端末が使用可能な前記ＷＬＡＮの無線リソースを増加させるための要求であり、
前記ネットワーク装置が管理する複数のアクセスポイントについての省電力モードが適用されている場合に使用可能な前記無線リソースの使用状況を示す情報であって、前記複数のアクセスポイントを構成するアクセスポイントが前記省電力モードを適用していることを示す情報を前記ネットワーク装置から受け取る処理を実行する、プロセッサ。
【請求項５】
Ｗｉｒｅｌｅｓｓ  Ｌｏｃａｌ  Ａｒｅａ  Ｎｅｔｗｏｒｋ（ＷＬＡＮ）における終端装置であるネットワーク装置であって、
制御部を備え、
前記制御部は、
Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）における基地局から第１メッセージを受け取り、かつ、
前記第１メッセージに対する応答である第２メッセージを前記基地局へ送るように構成され、
前記第１メッセージは、無線端末が使用可能な前記ＷＬＡＮの無線リソースを増加させるための要求であり、
前記制御部は、前記ネットワーク装置が管理する複数のアクセスポイントについての省電力モードが適用されている場合に使用可能な前記無線リソースの使用状況を示す情報であって、前記複数のアクセスポイントを構成するアクセスポイントが前記省電力モードを適用していることを示す情報を前記基地局へ送るように構成される、ネットワーク装置。
【請求項６】
前記無線リソースは、前記複数のアクセスポイントにより構成される所定のグループの無線リソースである請求項１に記載のネットワーク装置。
【請求項７】
Ｗｉｒｅｌｅｓｓ  Ｌｏｃａｌ  Ａｒｅａ  Ｎｅｔｗｏｒｋ（ＷＬＡＮ）における終端装置であるネットワーク装置を制御するためのプロセッサであって、
Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）における基地局から第１メッセージを受け取る処理と、
前記第１メッセージに対する応答である第２メッセージを前記基地局へ送る処理と、を実行し、
前記第１メッセージは、無線端末が使用可能な前記ＷＬＡＮの無線リソースを増加させるための要求であり、
前記ネットワーク装置が管理する複数のアクセスポイントについての省電力モードが適用されている場合に使用可能な前記無線リソースの使用状況を示す情報であって、前記複数のアクセスポイントを構成するアクセスポイントが前記省電力モードを適用していることを示す情報を前記基地局へ送る処理を実行する、プロセッサ。
【発明の詳細な説明】
【技術分野】
【０００１】
本出願は、移動通信システムにおいて用いられる基地局及び無線ＬＡＮ終端装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、基地局の消費電力を削減するエナジーセービング技術が導入されている（例えば、非特許文献１参照）。例えば、通信トラフィックの少ない夜間などにおいて、基地局が管理するセルの運用を停止、すなわち、無線リソースの使用を停止することにより、基地局の消費電力を削減できる。【０００３】
ところで、基地局は、基地局間の負荷バランスの最適化を図るために、近隣基地局へのハンドオーバを自局のユーザ端末に実行させることがある。この場合、基地局は、近隣基地局から受信した無線リソースの使用状況を示すリソース情報に基づいて、自局のユーザ端末にハンドオーバを実行させるか否かを判定できる。
【先行技術文献】
【非特許文献】
【０００４】
【非特許文献１】３ＧＰＰ技術報告書  「ＴＲ  ３６．９２７  Ｖ１１．０．０」    ２０１２年９月２４日
【発明の概要】
【０００５】
ここで、基地局が、消費電力を削減するために一部の無線リソースの使用を停止している近隣基地局からリソース情報を受信するケースを想定する。このケースにおいて、基地局は、近隣基地局からリソース情報を受信しても、リソース情報によって示される使用状況が、一部の無線リソースの使用を停止する前の通常の無線リソースの使用状況を示しているのか、一部の無線リソースの使用を停止している場合に使用可能な無線リソースの使用状況を示しているのか分からない。このため、基地局は、自局のユーザ端末にハンドオーバを実行させるか否かを適切に判定できず、一方の基地局に過剰に負荷がかかる虞がある。
【０００６】
そこで、本出願は、エナジーセービング技術が導入された移動通信システムにおいて、基地局の負荷を適切に低減可能にすることを目的とする。
【０００７】
一実施形態に係る基地局は、少なくとも一部の無線リソースの使用を停止することによって消費電力を削減する省電力モードが適用されているノードの無線リソースの使用状況を示すリソース情報を受信する受信部を備える。前記リソース情報は、当該リソース情報によって示される前記使用状況が前記省電力モードが適用されている場合に使用可能な無線リソースの使用状況であるか否かを識別するための識別情報を含む。
【０００８】
一の実施形態に係る基地局（ｅＮＢ２００−１）は、前記基地局の無線リソースの使用状況を示すリソース情報を近隣基地局に送信する送信部と、少なくとも一部の無線リソースの使用を停止することによって消費電力を削減する省電力モードの適用を制御する制御部と、を備える。前記送信部は、前記省電力モードが適用されている場合、前記リソース情報によって示される前記使用状況が前記省電力モードが適用されている場合に使用可能な無線リソースの使用状況であるか否かを識別するための識別情報を含む前記リソース情報を送信する。
【０００９】
一の実施形態に係る無線ＬＡＮ終端装置（ＷＴ６００）は、無線ＬＡＮアクセスポイントを管理する。前記無線ＬＡＮ終端装置は、前記無線ＬＡＮアクセスポイントの使用状況を示すリソース情報を基地局に送信する送信部を備える。前記送信部は、少なくとも一部の無線リソースの使用を停止することによって消費電力を削減する省電力モードが前記無線ＬＡＮアクセスポイントに適用されている場合、前記リソース情報によって示される前記使用状況が前記省電力モードが適用されている場合に使用可能な無線リソースの使用状況であるか否かを識別するための識別情報を含む前記リソース情報を前記基地局に送信する。
【図面の簡単な説明】
【００１０】
【図１】図１は、第１実施形態に係るＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、第１実施形態に係る動作を説明するためのシーケンス図である。
【図７】図７は、第２実施形態に係るＬＴＥシステムの構成図である。
【図８】図８は、ＡＰのブロック図である。
【図９】図９は、ＷＴのブロック図である。
【図１０】図１０は、第２実施形態に係る動作を説明するためのシーケンス図である。
【発明を実施するための形態】
【００１１】
第１及び第２実施形態に係る基地局（ｅＮＢ２００−２）は、少なくとも一部の無線リソースの使用を停止することによって消費電力を削減する省電力モードが適用されているノードの無線リソースの使用状況を示すリソース情報を受信する受信部を備える。前記リソース情報は、当該リソース情報によって示される前記使用状況が前記省電力モードが適用されている場合に使用可能な無線リソースの使用状況であるか否かを識別するための識別情報を含む。
【００１２】
第１実施形態において、前記リソース情報に基づいて、前記ノードである近隣基地局へのハンドオーバをユーザ端末に実行させる制御を行う制御部をさらに備える。
【００１３】
第１実施形態において、前記制御部は、前記近隣基地局において前記省電力モードが適用されている場合、前記ユーザ端末に前記ハンドオーバを実行させる前に、前記近隣基地局において使用可能な無線リソースの増加を要求するメッセージを前記近隣基地局に送信する制御を行う。
【００１４】
第１実施形態において、前記メッセージは、前記近隣基地局へのハンドオーバを実行する全ユーザ端末のそれぞれが要求するサービス品質を満たすために必要な無線リソースの情報を含む。
【００１５】
第１実施形態において、前記リソース情報によって示される前記使用状況が前記省電力モードが適用されている場合に使用可能な無線リソースの使用状況である場合、前記リソース情報は、前記省電力モードが適用されている場合に使用不能な物理リソースブロックを除いて算出された物理リソースブロックの使用率を含む。
【００１６】
第１実施形態において、前記リソース情報によって示される前記使用状況が前記省電力モードが適用されている場合に使用可能な無線リソースの使用状況である場合、前記リソース情報は、前記近隣基地局が管理する各セルで使用可能な無線リソースに応じて前記各セルを分類した値を、前記省電力モードが適用されている場合に使用可能な無線リソース量に応じて補正した値を含む。
【００１７】
第１実施形態において、前記リソース情報によって示される前記使用状況が前記省電力モードが適用されている場合に使用可能な無線リソースの使用状況である場合、前記リソース情報は、全無線リソース量に対する使用可能な無線リソース量の割合を、前記省電力モードが適用されている場合に使用可能な無線リソースの量に応じて補正した値を含む。
【００１８】
第１実施形態に係る基地局（ｅＮＢ２００−１）は、前記基地局の無線リソースの使用状況を示すリソース情報を近隣基地局に送信する送信部と、少なくとも一部の無線リソースの使用を停止することによって消費電力を削減する省電力モードの適用を制御する制御部と、を備える。前記送信部は、前記省電力モードが適用されている場合、前記リソース情報によって示される前記使用状況が前記省電力モードが適用されている場合に使用可能な無線リソースの使用状況であるか否かを識別するための識別情報を含む前記リソース情報を送信する。
【００１９】
第２実施形態に係る無線ＬＡＮ終端装置（ＷＴ６００）は、無線ＬＡＮアクセスポイントを管理する。前記無線ＬＡＮ終端装置は、前記無線ＬＡＮアクセスポイントの使用状況を示すリソース情報を基地局に送信する送信部を備える。前記送信部は、少なくとも一部の無線リソースの使用を停止することによって消費電力を削減する省電力モードが前記無線ＬＡＮアクセスポイントに適用されている場合、前記リソース情報によって示される前記使用状況が前記省電力モードが適用されている場合に使用可能な無線リソースの使用状況であるか否かを識別するための識別情報を含む前記リソース情報を前記基地局に送信する。
【００２０】
［第１実施形態］
（システム構成）
図１は、本実施形態に係るＬＴＥシステムの構成図である。
【００２１】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２２】
ＵＥ１００は、移動型の無線通信装置であり、接続を確立したセル（サービングセル）との無線通信を行う。ＵＥ１００はユーザ端末に相当する。
【００２３】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２４】
なお、「セル」は、無線通信エリアの最小単位を示す用語として使用される他に、ＵＥ１００との無線通信を行う機能を示す用語としても使用される。
【００２５】
ｅＮＢ２００は、例えば、無線リソース管理（ＲＲＭ）機能と、ユーザデータのルーティング機能と、モビリティ制御及びスケジューリングのための測定制御機能と、を有する。
【００２６】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＥＰＣ２０は、コアネットワークに相当する。ＥＰＣ２０は、ＯＡＭ４００（Ｏｐｅｒａｔｉｏｎ  ａｎｄ  Ｍａｉｎｔｅｎａｎｃｅ）を含んでもよい。
【００２７】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００２８】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００２９】
ＯＡＭは、オペレータによって管理されるサーバ装置であり、Ｅ−ＵＴＲＡＮ１０の保守及び監視を行う。
【００３０】
次に、ＵＥ１００及びｅＮＢ２００の構成を説明する。
【００３１】
図２は、ＵＥ１００のブロック図である。図２に示すように、ＵＥ１００は、複数のアンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３２】
ＵＥ１００は、ＧＮＳＳ受信機１３０を有していなくてもよい。また、メモリ１５０をプロセッサ１６０と一体化し、このセット（すなわち、チップセット）を制御部を構成するプロセッサ１６０’としてもよい。
【００３３】
複数のアンテナ１０１及び無線送受信機１１０は、無線信号の送受信に用いられる。無線送受信機１１０は、プロセッサ１６０が出力するベースバンド信号を無線信号に変換して複数のアンテナ１０１から送信する送信部１１１を含む。また、無線送受信機１１０は、複数のアンテナ１０１が受信する無線信号をベースバンド信号に変換してプロセッサ１６０に出力する受信部１１２を含む。
【００３４】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３５】
ＧＮＳＳ受信機１３０は、ＵＥ１００の地理的な位置を示す位置情報を得るために、ＧＮＳＳ信号を受信して、受信した信号をプロセッサ１６０に出力する。
【００３６】
バッテリ１４０は、ＵＥ１００の各ブロックに供給すべき電力を蓄える。
【００３７】
メモリ１５０は、プロセッサ１６０によって実行されるプログラムと、プロセッサ１６０による処理に使用される情報と、を記憶する。
【００３８】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３９】
図３は、ｅＮＢ２００のブロック図である。図３に示すように、ｅＮＢ２００）は、複数のアンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）を制御部を構成するプロセッサとしてもよい。
【００４０】
複数のアンテナ２０１及び無線送受信機２１０は、無線信号の送受信に用いられる。無線送受信機２１０は、プロセッサ２４０が出力するベースバンド信号を無線信号に変換して複数のアンテナ２０１から送信する送信部２１１を含む。また、無線送受信機２１０は、複数のアンテナ２０１が受信する無線信号をベースバンド信号に変換してプロセッサ２４０に出力する受信部２１２を含む。
【００４１】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４２】
メモリ２３０は、プロセッサ２４０によって実行されるプログラムと、プロセッサ２４０による処理に使用される情報と、を記憶する。
【００４３】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４４】
図４は、ＬＴＥシステムにおける無線インターフェイスのプロトコルスタック図である。
【００４５】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４６】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００４７】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００４８】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００４９】
ＰＤＣＰレイヤは、ヘッダ圧縮・伸張、及び暗号化・復号化を行う。
【００５０】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５１】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５２】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００５３】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００５４】
ＵＥ１００に割り当てられる無線リソースのうち、周波数リソースはリソースブロックにより特定でき、時間リソースはサブフレーム（又はスロット）により特定できる。
【００５５】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）が分散して配置される。
【００５６】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。さらに、各サブフレームには、復調参照信号（ＤＭＲＳ）及びサウンディング参照信号（ＳＲＳ）が配置される。
【００５７】
（省電力モード）
次に、省電力モードについて、説明する。省電力モードは、少なくとも一部の無線リソースの使用を停止することによって消費電力を削減するモードであり、ｅＮＢ２００に適用される。本実施形態では、ｅＮＢ２００の消費電力を削減する方法が異なる複数種類の省電力モードが規定されている。
【００５８】
省電力モードの種類としては、「間欠送信（ＤＴＸ：Ｄｉｓｃｏｎｔｉｎｕｏｕｓ  Ｔｒａｎｓｍｉｓｓｉｏｎ）」、「送信アンテナ数削減（ＡＮＴ  ｒｅｄｕｃｅｄ）」、「通信容量削減（Ｃａｐａｃｉｔｙ  ｒｅｄｕｃｅｄ）」などがある。
【００５９】
間欠送信とは、ｅＮＢ２００が無線信号の送信を間欠的に行う省電力モードである。ｅＮＢ２００は、セル固有参照信号（ＣＲＳ）を間欠的に送信する。例えば、ＣＲＳは５サブフレームに１回の割合で送信されている。ｅＮＢ２００は、ＣＲＳを送信しない期間（サブフレーム）に送信停止区間（ＤＴＸ区間）を設定する。従って、ｅＮＢ２００は、送信停止区間における無線リソースの使用を停止する。送信停止区間においては、ｅＮＢ２００の送信部２１１（特に、パワーアンプ）への給電を停止できるため、エナジーセービングを実現できる。
【００６０】
送信アンテナ数削減とは、ｅＮＢ２００が無線信号の送信に使用するアンテナ数（以下、「使用アンテナ数」という）を減少させる省電力モードである。ｅＮＢ２００は、複数のアンテナ２０１のうちの一部のみを使用して無線信号を送信する。例えば、複数のセルを管理するｅＮＢ２００は、複数のセルのうち所定のセルに対応するアンテナ２０１の使用を停止する。これにより、ｅＮＢ２００は、所定のセルで使用されていた無線リソースの使用を停止する。使用アンテナ数を減少させることにより、ｅＮＢ２００（特に、送信部２１１）の消費電力が低下するため、エナジーセービングを実現できる。
【００６１】
通信容量削減とは、ｅＮＢ２００が割当可能な無線リソース量を制限する省電力モードである。これにより、ｅＮＢ２００は、割当不能になった無線リソースの使用を停止する。このような制限を行うことにより、ｅＮＢ２００（特に、プロセッサ２４０）の消費電力が低下するため、ｅＮＢ２００のエナジーセービングを実現できる。
【００６２】
（リソース情報）
次に、リソース情報について説明する。リソース情報は、ｅＮＢ２００の無線リソースの使用状況を示す情報である。例えば、リソース情報は、リソース状況更新メッセージ（Ｒｅｓｏｕｒｃｅ  Ｓｔａｔｕｓ  Ｕｐｄａｔｅ）である。
【００６３】
ここで、省電力モードが適用されているｅＮＢ２００から送信されるリソース情報は、当該リソース情報によって示される無線リソースの使用状況が、省電力モードが適用されている場合に使用可能な無線リソースの使用状況であるか否かを識別するための識別情報を含む。
【００６４】
例えば、識別情報が、（リソース情報の送信元であるｅＮＢ２００において）省電力モードが適用されていることを示す場合、当該識別情報が含まれるリソース情報は、省電力モードが適用されている場合に使用可能な無線リソースの使用状況を示してもよい。一方、識別情報が、（リソース情報の送信元であるｅＮＢ２００において）省電力モードが適用されていないことを示す場合、当該識別情報が含まれるリソース情報は、通常の無線リソースの使用状況（すなわち、省電力モードが適用されていない場合に使用可能な無線リソースの使用状況）を示してもよい。
【００６５】
或いは、識別情報が、リソース情報の送信元であるｅＮＢ２００がキャパシティ（すなわち、使用可能な無線リソース）を増加可能であることを示す場合、当該識別情報が含まれるリソース情報は、省電力モードが適用されている場合に使用可能な無線リソースの使用状況を示してもよい。識別情報が、リソース情報の送信元であるｅＮＢ２００がキャパシティを増加不能であることを示す場合、当該識別情報が含まれるリソース情報は、通常の無線リソースの使用状況を示してもよい。
【００６６】
また、リソース情報は、無線リソースの使用状況を示すために、例えば、以下の情報を含むことができる。
【００６７】
具体的には、リソース情報は、物理リソースブロックの使用率を含むことができる。物理リソースブロックの使用率（ＰＲＢ（Ｐｈｙｓｉｃａｌ  Ｒｅｓｏｕｒｃｅ  Ｂｌｏｃｋ）使用率）は、下りリンク及び上りリンクのそれぞれで別々に算出され、以下の式によって規定される。
【００６８】
Ｍ（Ｔ）  ＝  （Ｍ１（Ｔ）／Ｐ（Ｔ））＊１００
【００６９】
Ｍ（Ｔ）は、ＰＲＢ使用率であり、期間Ｔの間に平均的に使用されたＰＲＢの割合である。範囲値は、０−１００％である。Ｍ１（Ｔ）は、期間Ｔの間にｅＮＢ２００又はＵＥ１００に（実際に）使用されるＰＲＢの数であり、下りリンクでは、ｅＮＢ２００の送信のために使用される全てのＰＲＢが含まれ、上りリンクでは、ＵＥ１００の送信のために割り当てられる全てのＰＲＢを含む。Ｐ（Ｔ）は、期間Ｔの間に使用可能なＰＲＢの総数である。Ｔは、ＰＲＢの計測（カウント）が実行される期間である。
【００７０】
ここで、ｅＮＢ２００は、省電力モードが適用されている場合のＭ（Ｔ）を算出するために、以下の方法を用いることができる。
【００７１】
第１に、ｅＮＢ２００は、省電力モードが適用されている場合に使用不能なＰＲＢをＰ（Ｔ）の合計数にカウントしない方法である。すなわち、Ｍ（Ｔ）は、省電力モードが適用されている場合に使用不能なＰＲＢを除いて算出される。この場合、リソース情報に含まれる識別情報は、例えば、リソース情報の送信元であるｅＮＢ２００がキャパシティを増加可能であることを示す。すなわち、リソース情報によって示される無線リソースの使用状況が、省電力モードが適用されている場合に使用可能な無線リソースの使用状況である。
【００７２】
第２に、ｅＮＢ２００は、省電力モードが適用されている場合に使用不能なＰＲＢをＰ（Ｔ）の合計数にカウントする方法である。すなわち、Ｍ（Ｔ）は、省電力モードが適用されているか否かに関わらず同じ値である。この場合、リソース情報に含まれる識別情報は、例えば、リソース情報の送信元であるｅＮＢ２００がキャパシティを増加不能であることを示す。すなわち、リソース情報によって示される無線リソースの使用状況が、通常の無線リソースの使用状況を示す。
【００７３】
第３に、ｅＮＢ２００は、実装に依存して、Ｐ（Ｔ）をカウントする。この場合、リソース情報に含まれる識別情報は、実装に依存する。
【００７４】
また、リソース情報は、セルキャパシティクラス値（Ｃｅｌｌ  Ｃａｐａｃｉｔｙ  Ｃｌａｓｓ  Ｖａｌｕｅ）を含むことができる。セルキャパシティクラス値は、リソース情報の送信元であるｅＮＢ２００が管理する各セルで使用可能な無線リソース量に応じて各セルを分類された値である。セルキャパシティクラス値は、１から１００の範囲の整数で示される。「１」であるセルキャパシティクラス値は、最小のセルキャパシティを示し、「１００」であるセルキャパシティクラス値は、最大のセルキャパシティを示す。なお、リソース情報が通常のセルキャパシティクラス値を含む場合、当該リソース情報に含まれる識別情報は、例えば、リソース情報の送信元であるｅＮＢ２００がキャパシティを増加不能であることを示す。
【００７５】
一方、リソース情報は、通常のセルキャパシティクラス値の代わりに、省電力モードが適用されている場合に使用可能な無線リソース量に応じて、通常のセルキャパシティクラス値を補正した値（以下、補正セルキャパシティクラス値）を含んでもよい。補正セルキャパシティクラス値は、「（補正セルキャパシティクラス値）  ＝  （セルキャパシティクラス値）＊（（省電力モードが適用されている場合に使用可能な無線リソース量）／（通常の無線リソース量））」の式によって算出できる。なお、通常の無線リソース量は、省電力モードが適用されていない場合に使用可能な通常の無線リソース量である。
【００７６】
なお、ｅＮＢ２００は、補正キャパシティクラス値を含むリソース情報を近隣ｅＮＢ２００に必ず送信するようにしてもよい。これにより、近隣ｅＮＢ２００は、基地局間の負荷バランスの最適化を図る際に、省電力モードが適用されているｅＮＢ２００の無線リソースの使用状況を考慮することができる。なお、リソース情報が補正キャパシティ値を含む場合、当該リソース情報に含まれる識別情報は、例えば、リソース情報の送信元であるｅＮＢ２００がキャパシティを増加可能であることを示す。
【００７７】
また、リソース情報は、キャパシティ値（Ｃａｐａｃｉｔｙ  Ｖａｌｕｅ）の情報を含むことができる。キャパシティ値は、全無線リソース量に対する使用可能な無線リソース量の割合（（使用可能な無線リソース量）／（全無線リソース量））であり、ｅＮＢ２００における空き無線リソースの割合を示す。全無線リソース量は、Ｅ−ＵＴＲＡＮで使用される全無線リソース量である。使用可能な無線リソース量は、省電力モードが適用されていない場合に使用可能な通常の無線リソース量である。キャパシティ値は、０から１００の範囲の整数で示される。「０」であるキャパシティ値は、使用可能なキャパシティがないことを示し、「１００」であるキャパシティ値は、使用可能なキャパシティが最大であることを示す。なお、リソース情報が通常のキャパシティ値を含む場合、当該リソース情報に含まれる識別情報は、例えば、リソース情報の送信元であるｅＮＢ２００がキャパシティを増加不能であることを示す。
【００７８】
一方、リソース情報は、通常のキャパシティ値の代わりに、省電力モードが適用されている場合に使用可能な無線リソース量に応じて、通常のキャパシティ値を補正した値（補正キャパシティ値）を含んでもよい。補正キャパシティ値は、「（補正キャパシティ値）  ＝  （キャパシティ値）＊（（省電力モードが適用されている場合に使用可能な無線リソース量）／（全無線リソース量））」によって算出できる。
【００７９】
なお、リソース情報が補正キャパシティ値を含む場合、当該リソース情報に含まれる識別情報は、例えば、リソース情報の送信元であるｅＮＢ２００がキャパシティを増加可能であることを示す。
【００８０】
（第１実施形態に係る動作）
次に、本実施形態に係る動作について、図６を用いて説明する。図６は、実施形態に係る動作を説明するためのシーケンス図である。
【００８１】
ｅＮＢ２００−１とｅＮＢ２００−２とは、隣接ｅＮＢの関係にあり、Ｘ２インターフェイスを介して接続されている。ここで、ｅＮＢ２００−１は、省電力モードを適用していると仮定して説明を進める。
【００８２】
図６に示すように、ステップＳ１０１において、ｅＮＢ２００−１は、リソース状況更新メッセージ（Ｒｅｓｏｕｒｃｅ  Ｓｔａｔｕｓ  Ｕｐｄａｔｅ）をｅＮＢ２００−２に送信する。本実施形態において、リソース状況更新メッセージは、省電力モードが適用されている場合に使用可能な無線リソースの使用状況を示し、例えば、省電力モードが適用されている場合に使用不能なＰＲＢを除いて算出されたＰＲＢ使用率を含む。
【００８３】
また、本実施形態において、リソース状況更新メッセージは、識別情報として、ｅＮＢ２００が省電力モードを適用していることを示す情報を含む。
【００８４】
ステップＳ１０２において、リソース状況更新メッセージを受信したｅＮＢ２００−２は、リソース状況更新メッセージの送信元であるｅＮＢ２００−１の動作モードを特定する。具体的には、ｅＮＢ２００−２は、ｅＮＢ２００−１において省電力モードが適用されているか否かを特定する。本実施形態において、ｅＮＢ２００−２は、リソース状況更新メッセージに含まれる識別情報に基づいて、ｅＮＢ２００−１において省電力モードが適用されていると特定する。
【００８５】
ステップＳ１０３において、ｅＮＢ２００−２は、ｅＮＢ２００−１の負荷とｅＮＢ２００−２の負荷とを考慮して、自局のＵＥ１００にｅＮＢ２００−１へのハンドオーバを実行させるか否かを判定する。例えば、ｅＮＢ２００−２は、リソース状況更新メッセージに含まれるｅＮＢ２００−１のＰＲＢ使用率と自局のＰＲＢ使用率とを比較する。ｅＮＢ２００−２は、自局のＰＲＢ使用率からｅＮＢ２００−１のＰＲＢ使用率を引いた値が第１閾値を超える場合、自局のＵＥ１００にｅＮＢ２００−１へのハンドオーバを実行させると判定する。この場合、ｅＮＢ２００−２は、省電力モードが適用されている場合に使用不能なＰＲＢを除いて算出されたＰＲＢ使用率を用いて判定しているため、消費電力の削減を考慮しつつ、ｅＮＢ間の負荷バランスの最適化を図ることができる。
【００８６】
或いは、ｅＮＢ２００−２は、リソース状況更新メッセージが省電力モードが適用されている場合に使用可能な無線リソースの使用状況を示す場合、ｅＮＢ２００−２の負荷が第２閾値を超えている場合に、自局のＵＥ１００にｅＮＢ２００−１へのハンドオーバを実行させると判定する。この場合、ｅＮＢ２００−２の負荷が過剰になることを抑制できる。
【００８７】
ｅＮＢ２００−２は、自局のＵＥ１００にｅＮＢ２００−１へのハンドオーバを実行させると判断した場合で、且つ、ｅＮＢ２００−１において省電力モードが適用されている場合、ステップＳ１０４の処理を実行する。
【００８８】
或いは、ｅＮＢ２００−２は、ハンドオーバを実行させる全ＵＥ１００のそれぞれが要求するサービス品質（ＱｏＳ）を示すパラメータ（ＱＣＩ）に基づいて、全ＵＥ１００のそれぞれが要求するサービス品質を満たすために必要な無線リソース量を算出する。ｅＮＢ２００−２は、リソース状況更新メッセージに含まれる情報に基づいて、省電力モードが適用されているｅＮＢ２００−１が使用可能な無線リソース量を、必要な無線リソース量が超えると判定した場合に、ステップＳ１０４の処理を実行し、そうでない場合、ステップＳ１０７の処理を実行してもよい。
【００８９】
ステップＳ１０４において、ｅＮＢ２００−２は、ｅＮＢ２００−１のキャパシティを増加させるためのキャパシティ増加要求メッセージ（Ｃａｐａｃｉｔｙ  Ｉｎｃｒｅａｓｅ  Ｒｅｑｕｅｓｔ）をｅＮＢ２００−１に送信する。ｅＮＢ２００−２は、ｅＮＢ２００−１において省電力モードが適用されている場合に、キャパシティ増加要求メッセージを送信する。キャパシティ増加要求メッセージは、省電力モードが適用されているｅＮＢ２００−１において使用可能な無線リソースの増加を要求するメッセージである。キャパシティ増加要求メッセージは、ハンドオーバを実行させる全ＵＥ１００のそれぞれが要求するサービス品質を満たすために必要な無線リソースの情報を含んでもよい。例えば、当該情報は、必要な無線リソース量である。或いは、当該情報は、ハンドオーバを実行させる全ＵＥ１００のそれぞれのＱＣＩの情報であってもよい。
【００９０】
或いは、ｅＮＢ２００−２は、キャパシティ増加要求メッセージの代わりに、省電力モードの適用の終了を要求するメッセージを送信してもよい。
【００９１】
ステップＳ１０５において、キャパシティ増加要求メッセージを受信したｅＮＢ２００−１は、キャパシティ増加要求メッセージに基づいて、使用可能な無線リソースを増加する。具体的には、ｅＮＢ２００−１は、キャパシティ増加要求メッセージに基づいて、省電力モードの適用を終了する。
【００９２】
或いは、ｅＮＢ２００−１は、キャパシティ増加要求メッセージにハンドオーバを実行させる全ＵＥ１００のそれぞれが要求するサービス品質を満たすために必要な無線リソースの情報が含まれる場合、当該情報に基づいて、省電力モードが適用された状態で必要な無線リソース量を確保できるか否かを判定してもよい。ｅＮＢ２００−１は、省電力モードが適用された状態で必要な無線リソース量を確保できない場合、すなわち、ｅＮＢ２００−２からのハンドオーバ候補のＵＥ１００のサービス品質の要求を満たせない場合、省電力モードの適用を終了してもよい。ｅＮＢ２００−１は、省電力モードが適用された状態で必要な無線リソース量を確保できる場合、省電力モードの適用を続けてもよい。
【００９３】
また、ｅＮＢ２００−１は、当該情報に基づいて、省電力モードが適用された状態で必要な無線リソース量を確保できない場合、省電力モードの種類を変更することによって必要な無線リソース量を確保できるか否かを判定してもよい。例えば、ｅＮＢ２００−１は、複数種類の省電力モードを適用している場合には、一部の省電力モードの適用を終了することによって必要な無線リソース量を確保できるか否かを判定できる。具体的には、ｅＮＢ２００−１は、間欠送信モード及び送信アンテナ数削減モードを適用している場合、間欠送信モードの適用のみを終了し、送信アンテナ数削減モードの適用を続けてもよい。
【００９４】
或いは、ｅＮＢ２００−１は、省電力モードによって使用を停止する無線リソース量を減らす（すなわち、割当可能な無線リソース量を増加する）ことによって必要な無線リソース量を確保できるか否かを判定してもよい。これによって、ｅＮＢ２００−１は、省電力モードを適用しつつ、必要な無線リソース量を確保できる。
【００９５】
ステップＳ１０６において、ｅＮＢ２００−１は、キャパシティ増加要求メッセージに対する応答をｅＮＢ２００−２に送信する。当該応答は、省電力モードの適用を終了した旨（承諾）を示す情報を含む。或いは、当該応答は、省電力モードの適用を続けている旨（拒否）を示す情報を含む。或いは、当該応答は、ｅＮＢ２００−２からのＵＥ１００のハンドオーバが実行された場合に必要な無線リソースを確保した上で省電力モードの適用を続けている旨を示す情報（承諾）を含んでもよい。
【００９６】
ステップＳ１０７において、承諾の応答を受信したｅＮＢ２００−２は、ｅＮＢ２００−１へのハンドオーバを要求するハンドオーバ要求メッセージ（Ｈａｎｄｏｖｅｒ  Ｒｅｑｕｅｓｔ）をｅＮＢ２００−１に送信する。すなわち、ｅＮＢ２００−２は、キャパシティ増加要求メッセージに対する応答を受信するまで、ハンドオーバ要求メッセージを送信しない。
【００９７】
一方で、拒否の応答を受信したｅＮＢ２００−２は、他の近隣ｅＮＢへのハンドオーバを実行できるか否かの検討を開始する。
【００９８】
その後、ｅＮＢ２００−１とｅＮＢ２００−２は、通常のハンドオーバ手順に従って、動作する。ｅＮＢ２００−２のＵＥ１００は、ｅＮＢ２００−２からｅＮＢ２００−１へのハンドオーバを実行する。
【００９９】
（第１実施形態のまとめ）
本実施形態において、省電力モードが適用されているｅＮＢ２００−１は、リソース状況更新メッセージによって示される無線リソースの使用状況が省電力モードが適用されている場合に使用可能な無線リソースの使用状況であるか否かを識別するための識別情報を含むリソース状況更新メッセージをｅＮＢ２００−２に送信する。これにより、ｅＮＢ２００−２は、リソース状況更新メッセージによって示される無線リソースの使用状況が省電力モードが適用されている場合に使用可能な無線リソースの使用状況であるか否かを識別できる。従って、例えば、識別情報が、省電力モードが適用されている場合に使用可能な無線リソースの使用状況を示す場合には、ｅＮＢ２００−２は、ｅＮＢ２００−１の無線リソースの使用率が高い場合であっても、ｅＮＢ２００−１の負荷は大きくないことが予想できる。その結果、ｅＮＢ２００−２は、自局のＵＥ１００にハンドオーバを実行させるか否かを適切に判定でき、ｅＮＢ間の負荷バランスを適切に最適化可能である。従って、ｅＮＢ２００−２の負荷を適切に低減可能である。
【０１００】
また、実施形態において、ｅＮＢ２００−２は、ｅＮＢ２００−１において省電力モードが適用されている場合、自局のＵＥ１００にハンドオーバを実行させる前に、ｅＮＢ２００−１において使用可能な無線リソースの増加を要求するキャパシティ増加要求メッセージを送信する。これにより、キャパシティ増加要求メッセージを受信したｅＮＢ２００−１は、ｅＮＢ２００−２からＵＥ１００がハンドオーバを実行する前に使用可能な無線リソースを増加できる。その結果、ハンドオーバ手順が適切に実行されるため、ハンドオーバを実行するＵＥ１００の通信品質を確保することができる。
【０１０１】
また、実施形態において、キャパシティ増加要求メッセージは、ハンドオーバを実行させる全ＵＥ１００のそれぞれが要求するサービス品質を満たすために必要な無線リソースの情報を含む。これにより、ｅＮＢ２００−１は、省電力モードが適用された状態で必要な無線リソース量を確保できる場合、省電力モードの適用を続けることができる。その結果、ｅＮＢ間の負荷バランスの最適化を図りつつ、ｅＮＢ２００−１の消費電力を削減できる。
【０１０２】
また、実施形態において、リソース情報によって示される無線リソースの使用状況が、省電力モードが適用されている場合に使用可能な無線リソースの使用状況である場合、リソース情報は、省電力モードが適用されている場合に使用不能なＰＲＢを除いて算出されたＰＲＢ使用率、補正セルキャパシティクラス値、補正キャパシティ値などを含む。リソース情報が省電力モードが適用されている場合に使用可能な無線リソースの使用状況を示すことによって、ｅＮＢ２００−２は、消費電力の削減を考慮しつつ、ｅＮＢ間の負荷バランスの最適化を図ることができる。
【０１０３】
［第２実施形態］
次に、第２実施形態に係る変更例について、説明する。第１実施形態では、リソース情報は、ｅＮＢ２００の無線リソースの使用状況を示す情報であった。第２実施形態では、リソース情報は、ＡＰ４００の無線リソースの使用状況を示す情報である。なお、第１実施形態と同様の部分は、説明を適宜省略する。
【０１０４】
（システム構成）
システム構成について、図７を用いて説明する。図７は、本実施形態に係るＬＴＥシステムの構成図である。図７に示すように、本実施形態に係るシステムは、ＬＴＥシステムとＷＬＡＮシステム（ＷＬＡＮ３０）とによって構成される。
【０１０５】
ＷＬＡＮ３０は、ＷＬＡＮアクセスポイント（以下「ＡＰ」という）４００と、ＷＬＡＮ終端装置（以下、「ＷＴ」という）６００とを含む。ＡＰ４００は、例えばＬＴＥシステムのＮＷオペレータにより管理されるＡＰ（Ｏｐｅｒａｔｏｒ  ｃｏｎｔｒｏｌｌｅｄ  ＡＰ）である。ＷＴ６００は、ＷＬＡＮにおけるノードであり、Ｘｗインターフェイスを介してｅＮＢ２００と接続される。ＷＴ６００は、１以上のＡＰ４００を管理する。ＷＴ６００は、自身が管理するＡＰ４００の情報をｅＮＢ２００に送ることができる。また、ＷＴ６００は、ｅＮＢ２００から受け取った情報を自身が管理するＡＰ４００に送ることができる。
【０１０６】
なお、Ｘｗインターフェイスは、３ＧＰＰ  ＲＡＮとＷＬＡＮとの間の論理インターフェイスである。Ｘｗインターフェイスは、ＬＴＥ（３ＧＰＰ  ＲＡＮ）側において、ｅＮＢ２００で終端し、ＷＬＡＮ側において、ＷＴ６００で終端する。図７において、Ｘｗインターフェイスは、ｅＮＢ２００とＷＴ６００とを直接的に結ぶインターフェイスであるが、ＭＭＥ／Ｓ−ＧＷ３００及びＰ−ＧＷを経由するインターフェイスであってもよい。
【０１０７】
ＷＬＡＮ３０は、例えばＩＥＥＥ  ８０２．１１諸規格に準拠して構成される。ＡＰ４００は、セルラ周波数帯とは異なる周波数帯でＵＥ１００とのＷＬＡＮ通信を行う。一般的に、ＷＬＡＮ通信はアンライセンスドバンドで行われる。セルラ通信は、ライセンスドバンドで行われる。ＡＰ４００は、ルータ等を介してＥＰＣ２０に接続される。
【０１０８】
なお、ＥＰＣ２０は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバをさらに含んでもよい。ＡＮＤＳＦサーバは、ＷＬＡＮ３０に関するＡＮＤＳＦ情報を管理する。ＡＮＤＳＦサーバは、ＷＬＡＮ３０に関するＡＮＤＳＦ情報をＵＥ１００に提供する。
【０１０９】
（無線ＬＡＮアクセスポイント）
次に、ＡＰ４００（無線ＬＡＮアクセスポイント）の構成について、図８を用いて説明する。図８は、ＡＰ４００のブロック図である。図８に示すように、ＡＰ４００は、複数のアンテナ４０１と、無線送受信機４１０と、ネットワークインターフェイス４２０と、メモリ４３０と、プロセッサ４４０と、を有する。メモリ４３０及びプロセッサ４４０は、制御部を構成する。なお、メモリ４３０をプロセッサ４４０と一体化し、このセット（すなわち、チップセット）を制御部を構成するプロセッサとしてもよい。
【０１１０】
複数のアンテナ４０１及び無線送受信機４１０は、無線信号の送受信に用いられる。無線送受信機４１０は、プロセッサ４４０が出力するベースバンド信号を無線信号に変換して複数のアンテナ４０１から送信する送信部（送信機）４１１を含む。また、無線送受信機４１０は、複数のアンテナ４０１が受信する無線信号をベースバンド信号に変換してプロセッサ２４０に出力する受信部（受信機）４１２を含む。
【０１１１】
ネットワークインターフェイス４２０は、所定のインターフェイスを介してバックホールと接続される。また、ネットワークインターフェイス４２０は、ＷＴ６００と接続され、ＷＴ６００との通信等に用いられる。また、ネットワークインターフェイス４２０は、ＷＴ６００を介して、ｅＮＢ２００との通信等に用いられてもよい。
【０１１２】
メモリ４３０は、プロセッサ４４０によって実行されるプログラムと、プロセッサ４４０による処理に使用される情報と、を記憶する。
【０１１３】
プロセッサ４４０は、ベースバンド信号の変調・復調及び符号化・復号などを行うベースバンドプロセッサと、メモリ４３０に記憶されるプログラムを実行して各種の処理を行うＣＰＵと、を含む。プロセッサ４４０は、後述する各種の処理及び各種の通信プロトコルを実行する。
【０１１４】
（無線ＬＡＮ終端装置）
以下において、ＷＴ６００（無線ＬＡＮ終端装置）の構成について、図９を用いて、説明する。図９は、ＷＴ６００を示すブロック図である。図９に示すように、ＷＴ６００は、ネットワークインターフェイス６２０と、メモリ６３０と、プロセッサ６４０と、を有する。メモリ６３０及びプロセッサ６４０は、制御部を構成する。なお、メモリ６３０をプロセッサ６４０と一体化し、このセット（すなわち、チップセット）を制御部を構成するプロセッサとしてもよい。
【０１１５】
ネットワークインターフェイス６４０は、所定のインターフェイスを介してバックホールと接続される。また、ネットワークインターフェイス６２０は、ＡＰ４００と接続され、ＡＰ４００との通信等に使用される。また、ネットワークインターフェイス６２０は、Ｘｗインターフェイスを介してｅＮＢ２００と接続される。ネットワークインターフェイス６２０は、Ｘｗインターフェイス上で行う通信等に用いられる。なお、ｅＮＢ２００のネットワークインターフェイス２２０は、Ｘｗインターフェイスを介してＷＴ６００と接続される。ネットワークインターフェイス２２０は、Ｘｗインターフェイス上で行う通信等に用いられる。
【０１１６】
メモリ６３０は、プロセッサ６４０によって実行されるプログラムと、プロセッサ６４０による処理に使用される情報と、を記憶する。
【０１１７】
プロセッサ６４０は、ベースバンド信号の変調・復調及び符号化・復号などを行うベースバンドプロセッサと、メモリ６３０に記憶されるプログラムを実行して各種の処理を行うＣＰＵと、を含む。プロセッサ６４０は、後述する各種の処理及び各種の通信プロトコルを実行する。
【０１１８】
（第２実施形態に係る動作）
次に、第２実施形態に係る動作について、図１０を用いて説明する。図１０は、第２実施形態に係る動作を説明するためのシーケンス図である。
【０１１９】
図１０において、ＡＰ４００は、ＷＴ６００に管理されている。また、ＡＰ４００は、ｅＮＢ２００−２が管理するセル内に位置する。ＡＰ４００のカバレッジが、ｅＮＢ２００が管理するセルのカバレッジと少なくとも一部が重複していてもよい。ここで、ＡＰ４００は、省電力モードを適用していると仮定して説明を進める。
【０１２０】
ステップＳ２０１において、ＡＰ４００は、ＷＴ６００を介して、リソース状態更新メッセージをｅＮＢ２００−２に送信する。リソース状態更新メッセージは、第１実施形態と同様の情報である。リソース状態更新メッセージは、識別情報として、ＡＰ４００が省電力モードを適用していることを示す情報を含む。
【０１２１】
ＷＴ６００は、ＡＰ４００のリソース状態を管理している場合には、ＷＴ６００の判断により、リソース状態更新メッセージをｅＮＢ２００−２に送信してもよい。また、ＷＴ６００は、複数のＡＰ４００を管理している場合には、複数のＡＰ４００（例えば、複数のＡＰ４００が構成する所定のグループ）のリソース状態を示す情報を含むメッセージをｅＮＢ２００−２に送信してもよい。
【０１２２】
ステップＳ２０２において、リソース状態更新メッセージを受信したｅＮＢ２００−２は、ＡＰ４００の動作モードを特定する。本実施形態において、ｅＮＢ２００−２は、リソース状況更新メッセージに含まれる識別情報に基づいて、ＡＰ４００において省電力モードが適用されていると特定する。
【０１２３】
ステップＳ２０３において、ｅＮＢ２００−２は、ＡＰ４００の負荷及びｅＮＢ２００−２の負荷を考慮して、自局のＵＥ１００のトラフィックをＷＬＡＮ３０（ＡＰ４００）へ切り替えるか否かを判定する。ｅＮＢ２００−２は、複数のＡＰ４００（例えば、所定のグループ）の総合的な負荷（例えば、平均的な負荷）を考慮して、自局のＵＥ１００のトラフィックをＷＬＡＮ３０（ＡＰ４００）へ切り替えるか否かを判定してもよい。また、ｅＮＢ２００−２は、ＡＰ４００が省電力モードを適用している場合には、ｅＮＢ２００−２の負荷（のみ）を考慮して、トラフィック切り替えの判定を行ってもよい。
【０１２４】
ステップＳ２０４において、ｅＮＢ２００−２は、ＡＰ４００のキャパシティを増加させるためのキャパシティ増加要求メッセージをＷＴ６００に送信する。ＷＴ６００は、キャパシティ増加要求メッセージの代わりに、省電力モードの適用の終了を要求するメッセージをＷＴ６００に送信してもよい。なお、ｅＮＢ２００−２は、複数のＡＰ４００（例えば、複数のＡＰ４００が構成する所定のグループ）のキャパシティを増加させるためのキャパシティ増加要求メッセージをＷＴ６００に送信してもよい。
【０１２５】
ＷＴ６００は、キャパシティ増加要求メッセージの受信に応じて、キャパシティ増加要求メッセージをＡＰ４００に転送してもよいし、省電力モードの適用の終了を要求するメッセージをＡＰ４００に新たに送信してもよい。
【０１２６】
ステップＳ２０５において、キャパシティ増加要求メッセージ（又は省電力モードの適用の終了を要求するメッセージ）を受信したＡＰ４００は、使用可能な無線リソースを増加する。例えば、ＡＰ４００は、キャパシティ増加要求メッセージに基づいて、省電力モードの適用を終了する。
【０１２７】
ステップＳ２０６において、ＷＴ６００は、キャパシティ増加要求メッセージに対する応答をｅＮＢ２００−２に送信する。当該応答は、省電力モードの適用を終了した旨（承諾）を示す情報を含む。当該応答は、省電力モードの適用を続けている旨（拒否）を示す情報を含んでもよい。
【０１２８】
ＷＴ６００は、キャパシティ増加要求メッセージ（又は省電力モードの適用の終了を要求するメッセージ）をＡＰ４００に送信した後、ＡＰ４００からの応答の受信に応じて、キャパシティ増加要求メッセージに対する応答をｅＮＢ２００−２に送信してもよい。ＷＴ６００は、ＡＰ４００からの応答をｅＮＢ２００−２に転送してもよい。また、ＷＴ６００は、ＡＰ４００からの応答（例えば、肯定応答（ＡＣＫ））の受信に応じて、キャパシティ増加要求メッセージに対する応答をｅＮＢ２００−２に送信してもよい。或いは、ＷＴ６００は、キャパシティ増加要求メッセージ（又は省電力モードの適用の終了を要求するメッセージ）をＡＰ４００に送信した後、ＡＰ４００からの応答に関わらず、キャパシティ増加要求メッセージに対する応答をｅＮＢ２００−２に送信してもよい。例えば、ＷＴ６００は、ＡＰ４００に送信したメッセージが強制的な指示（命令）である場合には、ＡＰ４００からの応答を受け取る前にキャパシティ増加要求メッセージに対する応答をｅＮＢ２００−２に送信してもよい。
【０１２９】
ステップＳ２０７において、承諾の応答を受信したｅＮＢ２００−２は、自局のＵＥ１００のトラフィックをＷＬＡＮ３０（ＡＰ４００）へ切り替えるための指示（Ｓｔｅｅｒｉｎｇ  ｃｏｍｍａｎｄ）をＵＥ１００へ送信できる。なお、ｅＮＢ２００−２は、ＵＥ１００から受信したＡＰ４００の検知（発見）に関するメジャメント報告に基づいて、指示を送信するＵＥ１００を決定することができる。当該メジャメント報告は、ＵＥ１００が検知したＡＰ４００の識別情報（ＳＳＩＤ、ＢＳＳＩＤ、ＥＳＳＩＤ、ＨＥＳＳＩＤ等）に加えて、ＵＥ１００がＡＰ４００から受信した無線信号（ビーコン信号）の受信信号強度（ＲＳＲＰ）、受信信号品質（ＲＳＲＱ）、受信時間などの情報を含んでいてもよい。
【０１３０】
一方で、拒否の応答を受信したｅＮＢ２００−２は、他のＡＰ４００（又はＡＰが構成する他のグループ）のリソース状態を考慮して、自局のＵＥ１００のトラフィックをＷＬＡＮ３０（他のＡＰ４００）へ切り替えるか否かを判定してもよい。また、ｅＮＢ２００−２は、他の近隣ｅＮＢへのハンドオーバを実行できるか否かの検討を開始してもよい（第１実施形態参照）。
【０１３１】
（第２実施形態のまとめ）
本実施形態において、省電力モードが適用されているＡＰ４００（又は、当該ＡＰ４００を管理するＷＴ６００）は、リソース状況更新メッセージによって示されるＡＰ４００の無線リソースの使用状況が省電力モードがＡＰ４００に適用されている場合に使用可能な無線リソースの使用状況であるか否かを識別するための識別情報を含むリソース状況更新メッセージをｅＮＢ２００−２に送信する。従って、例えば、識別情報が、省電力モードが適用されている場合に使用可能な無線リソースの使用状況を示す場合には、ｅＮＢ２００−２は、ＡＰ４００の無線リソースの使用率が高い場合であっても、ＡＰ４００の負荷は大きくないことが予想できる。その結果、ｅＮＢ２００−２は、自局のＵＥ１００のトラフィックをＷＬＡＮ３０に切り替えるか否かを適切に判定できる。従って、ｅＮＢ２００−２の負荷を適切に低減可能である。
【０１３２】
［その他実施形態］
上述した第１実施形態では、省電力モードが適用されているｅＮＢ２００−１が、識別情報を含むリソース情報（リソース状況更新メッセージ）を送信していたが、これに限られない。省電力モードが適用されていないｅＮＢ２００−１が、識別情報を含むリソース情報を送信してもよい。この場合、識別情報は、通常の無線リソースの使用状況を示す。なお、第２実施形態でも同様である。
【０１３３】
また、省電力モードが適用されているｅＮＢ２００−１が、通常の無線リソースの使用状況を示す情報と共に、通常の無線リソースの使用状況を示す識別情報を含むリソース情報を送信してもよい。この場合、リソース情報は、ｅＮＢ２００−１において省電力モードが適用されていることを示す情報をさらに含んでもよい。なお、第２実施形態でも同様である。
【０１３４】
或いは、省電力モードが適用されているｅＮＢ２００−１が、通常の無線リソースの使用状況を示す情報（例えば、キャパシティ値）と、省電力モードが適用されている場合に使用可能な無線リソースの使用状況を示す情報（例えば、補正キャパシティ値）との両方を含むリソース情報を送信してもよい。この場合、リソース情報は、それぞれの情報に関連付けられた識別情報を含んでもよい。なお、第２実施形態でも同様である。
【０１３５】
上述した第２実施形態において、ＷＴ６００は、例えば、ＡＰ３００を管理（制御）するＡＣ（アクセスコントローラ）であってもよい。ＷＴ６００は、ＡＣの上位ノードであり、ＡＣを管理するネットワーク装置であってもよい。また、ＡＰ４００の内部に存在するエンティティがＷＴ６００と同様の機能を有していてもよい。従って、ＡＰ４００がＷＴ６００と同様の動作を実行してもよい。
【０１３６】
また、上述した各実施形態では、本出願に係る内容をＬＴＥシステムに適用する一例を説明したが、ＬＴＥシステムに限定されるものではなく、ＬＴＥシステム以外のシステムに本出願に係る内容を適用してもよい。
【０１３７】
なお、日本国特許出願第２０１４−１７０８１６号（２０１４年８月２５日出願）の全内容が、参照により、本願明細書に組み込まれている。
【図１】
0006479823.tif 000002
【図２】
0006479823.tif 000003
【図３】
0006479823.tif 000004
【図４】
0006479823.tif 000005
【図５】
0006479823.tif 000006
【図６】
0006479823.tif 000007
【図７】
0006479823.tif 000008
【図８】
0006479823.tif 000009
【図９】
0006479823.tif 000010
【図１０】
0006479823.tif 000011